(57)【特許請求の範囲】
【請求項１】
既設局舎と加入者装置とを接続する光ケーブルを新設局舎へ切り替えるための既設局舎から新設局舎への収容替方法であって、
複数組のテープ心線が束ねられた多数本の心線からなる光ケーブルの切替作業をテープ単位で行う際に、
切替作業日に、前記既設局舎と光中間配電盤架との間に敷設された既設連絡ケーブル（３１）のテープ単位であるｎ本の心線のみを該既設局舎内の既設局側装置（１１）から切り離す第１のステップ（Ｓ１２）と、
前記既設局舎において、加入者装置（２１，２２）が接続されている光ケーブル（５１）の既使用心線に接続されている前記既設連絡ケーブルの心線にパワーメータ（６１，６２）を接続して前記加入者装置からの光レベルを測定し記録するとともに、加入者装置が接続されていない前記光ケーブルの未使用心線に接続されている前記既設連絡ケーブルの心線に光パルス試験器（７１，７２）を接続して心線距離を測定し記録する第２のステップ（Ｓ１３）と、
前記光中間配電盤架において、前記既設連絡ケーブルの前記ｎ本の心線と前記光ケーブルの前記既使用心線および前記未使用心線とを接続しているｎ本のジャンパ（４１）の両端部を切断する第３のステップ（Ｓ１４）と、
前記新設局舎において、該新設局舎と前記光中間配電盤架との間に敷設された新設連絡ケーブル（３２）のテープ単位であるｎ本の心線のうちの１本に光パルス試験器（７３）を接続し、前記光中間配電盤架において該新設連絡ケーブルの該ｎ本の心線を曲げたときに波形が変化することを確認する第４のステップ（Ｓ１５）と、
前記光中間配電盤架において、予め前記新設連絡ケーブルの前記ｎ本の心線と接続しておいたテープ単位であるｎ本の切替用ジャンパ（４２）と前記光ケーブルの前記既使用心線および前記未使用心線とを接続する第５のステップ（Ｓ１６）と、
前記新設連絡ケーブルの前記ｎ本の心線を前記新設局舎内の新設局側装置（１２）に接続する第６のステップ（Ｓ１７）とを具備し、
前記第５のステップ（Ｓ１６）が、前記新設局舎において、前記光ケーブルの前記既使用心線に前記切替用ジャンパを介して接続された前記新設連絡ケーブルの心線にパワーメータを接続して前記加入者装置からの光レベルを測定し記録するとともに、前記光ケーブルの前記未使用心線に前記切替用ジャンパを介して接続された前記新設連絡ケーブルの心線に光パルス試験器を接続して心線距離を測定し記録することを含み、
前記光ケーブルの他のテープ心線についても前記第１乃至第６のステップを行うことにより、前記光ケーブルの切替作業をテープ単位で行う、
ことを特徴とする、既設局舎から新設局舎への収容替方法。
【請求項２】
前記第３のステップ（Ｓ１４）が、前記既設局舎において、前記パワーメータで光レベルを測定して、光レベルが切断前後で変化することを確認するか、前記光パルス試験器で心線距離を測定して、心線距離が切断前後で変化することを確認することを含むことを特徴とする、請求項１記載の既設局舎から新設局舎への収容替方法。
【請求項３】
前記第５のステップ（Ｓ１６）において、前記加入者装置の電源が切られている場合には、前記パワーメータを用いた光レベルの測定および前記パワーメータの代わりに前記光パルス試験器を用いた心線距離の測定を行わないことを特徴とする、請求項１または２記載の既設局舎から新設局舎への収容替方法。
【請求項４】
切替作業日の前日までに、前記光中間配電盤架において、前記切替用ジャンパの端部をすべて、前記新設連絡ケーブルの心線の端部とそれぞれ接続しておくステップ（Ｓ１１）をさらに具備することを特徴とする、請求項１乃至３いずれかに記載の既設局舎から新設局舎への収容替方法。
【請求項５】
切替作業を行う際に、収容替対応表に、顧客情報と、光ケーブル側のテープ心線番号、新設連絡ケーブルの名称、心線番号、既設局側装置および新設局側装置を含む切替回線情報と、運用状況と、切替前後の光レベル側定値または心線距離測定値とを、テープ心線系列ごとに記載することを特徴とする、請求項１乃至４いずれかに記載の既設局舎から新設局舎への収容替方法。
【請求項６】
前記収容替対応表に、回線停止予定時間と開通日実績時間とをさらに記載することを特徴とする、請求項５記載の既設局舎から新設局舎への収容替方法。
【発明の詳細な説明】
【技術分野】
【０００１】
本発明は、既設局舎から新設局舎への収容替方法に関し、特に、既設局舎と加入者装置とを接続する光ケーブルを新設局舎へ切り替えるのに好適な収容替方法に関する。
【背景技術】
【０００２】
従来、インターネットを提供している既設局舎（既設の光通信事業者局）に支障が生じて新設局舎（新設の光通信事業者局）へ移転する必要が生じた場合の光ケーブルの切替作業は、たとえば、光中間配線盤架（光ＩＤＦ架）において既設の光ケーブルを全心切断して既設局舎からの連絡ケーブルから切り離したのち、切替用ジャンパを用いて新設局舎の連絡ケーブルに既設の光ケーブルを接続することにより、行われている。
【０００３】
なお、下記の特許文献１には、光ケーブルの切替の成否判定及び切替点への連絡に必要な人員を削減でき、しかも判定結果を直ちに切替点へ通知することができるようにするために、通信装置に収容された光ケーブルの一部を他の光ケーブルに切替える際、この通信装置より発生され且つ光ケーブルの成端点から離れた地点で収集された警報に基いて切替の成否を判定し、これを光ケーブルの切替点に通知する光ケーブル切替成否判定システムにおいて、警報収集点に設置され、収集した警報を光ケーブルの成端点に転送するアラーム転送部と、光ケーブルの成端点に設置され、前記警報を分析して切替の成否を判定する成否判定部と、光ケーブルの切替点に設置され、判定結果を表示する表示部とを備えた光ケーブル切替成否判定システムが開示されている。
【特許文献１】特開５−１３６８７５号公報
【発明の開示】
【発明が解決しようとする課題】
【０００４】
しかしながら、従来のように既設の光ケーブルを全心切断してしまうと、光ケーブルの切替作業に時間を要するため、加入者に対するサービス停止時間が長時間となり、サービスレベルの低下を招くという問題がある。
また、既設の光ケーブルを全心切断してしまうと、光ケーブル接続変更後の光ケーブル心線の良否の確認が難しいとともに、光ケーブル心線ごとの加入者運用状況の確実な確認も難しいという問題がある。
【０００５】
本発明の目的は、短いサービス停止時間で既設局舎から新設局舎への光ケーブルの切替作業を行うことができるとともに切替後の確認も容易に行うことができる収容替方法を提供することにある。
【課題を解決するための手段】
【０００６】
本発明の既設局舎から新設局舎への収容替方法は、既設局舎と加入者装置とを接続する光ケーブルを新設局舎へ切り替えるための既設局舎から新設局舎への収容替方法であって、
複数組のテープ心線が束ねられた多数本の心線からなる光ケーブルの切替作業をテープ単位で行う際に、切替作業日に、前記既設局舎と光中間配電盤架との間に敷設された既設連絡ケーブル（３１）のテープ単位であるｎ本の心線のみを該既設局舎内の既設局側装置（１１）から切り離す第１のステップ（Ｓ１２）と、前記既設局舎において、加入者装置（２１，２２）が接続されている光ケーブル（５１）の既使用心線に接続されている前記既設連絡ケーブルの心線にパワーメータ（６１，６２）を接続して前記加入者装置からの光レベルを測定し記録するとともに、加入者装置が接続されていない前記光ケーブルの未使用心線に接続されている前記既設連絡ケーブルの心線に光パルス試験器（７１，７２）を接続して心線距離を測定し記録する第２のステップ（Ｓ１３）と、前記光中間配電盤架において、前記既設連絡ケーブルの前記ｎ本の心線と前記光ケーブルの前記既使用心線および前記未使用心線とを接続しているｎ本のジャンパ（４１）の両端部を切断する第３のステップ（Ｓ１４）と、前記新設局舎において、該新設局舎と前記光中間配電盤架との間に敷設された新設連絡ケーブル（３２）のテープ単位であるｎ本の心線のうちの１本に光パルス試験器（７３）を接続し、前記光中間配電盤架において該新設連絡ケーブルの該ｎ本の心線を曲げたときに波形が変化することを確認する第４のステップ（Ｓ１５）と、前記光中間配電盤架において、予め前記新設連絡ケーブルの前記ｎ本の心線と接続しておいたテープ単位であるｎ本の切替用ジャンパ（４２）と前記光ケーブルの前記既使用心線および前記未使用心線とを接続する第５のステップ（Ｓ１６）と、前記新設連絡ケーブルの前記ｎ本の心線を前記新設局舎内の新設局側装置（１２）に接続する第６のステップ（Ｓ１７）とを具備し、前記第５のステップ（Ｓ１６）が、前記新設局舎において、前記光ケーブルの前記既使用心線に前記切替用ジャンパを介して接続された前記新設連絡ケーブルの心線にパワーメータを接続して前記加入者装置からの光レベルを測定し記録するとともに、前記光ケーブルの前記未使用心線に前記切替用ジャンパを介して接続された前記新設連絡ケーブルの心線に光パルス試験器を接続して心線距離を測定し記録することを含み、前記光ケーブルの他のテープ心線についても前記第１乃至第６のステップを行うことにより、前記光ケーブルの切替作業をテープ単位で行うことを特徴とする。
ここで、前記第３のステップ（Ｓ１４）が、前記既設局舎において、前記パワーメータで光レベルを測定して、光レベルが切断前後で変化することを確認するか、前記光パルス試験器で心線距離を測定して、心線距離が切断前後で変化することを確認することを含んでもよい。
前記第５のステップ（Ｓ１６）において、前記加入者装置の電源が切られている場合には、前記パワーメータを用いた光レベルの測定および前記パワーメータの代わりに前記光パルス試験器を用いた心線距離の測定を行わなくてもよい。
切替作業日の前日までに、前記光中間配電盤架において、前記切替用ジャンパの端部をすべて、前記新設連絡ケーブルの心線の端部とそれぞれ接続しておくステップ（Ｓ１１）をさらに具備してもよい。
切替作業を行う際に、収容替対応表に、顧客情報と、光ケーブル側のテープ心線番号、新設連絡ケーブルの名称、心線番号、既設局側装置および新設局側装置を含む切替回線情報と、運用状況と、切替前後の光レベル側定値または心線距離測定値とを、テープ心線系列ごとに記載してもよい。
前記収容替対応表に、回線停止予定時間と開通日実績時間とをさらに記載してもよい。
【発明の効果】
【０００７】
本発明の既設局舎から新設局舎への収容替方法は、以下に示す効果を奏する。
（１）テープ単位で光ケーブルの切替作業を行うことにより、切替作業に伴うサービス停止はテープ単位となるため、サービス停止時間を大幅に短縮して、サービスレベルの低下を防ぐことができる。
（２）パワーメータおよび光パルス試験器を用いて切替前後の光レベルおよび心線距離の測定したり切替作業を行う際に収容替対応表に必要事項を記載したりすることにより、切替後の光ケーブル心線の良否の確認および光ケーブル心線ごとの加入者運用状況の確実な確認を行うことができる。
【発明を実施するための最良の形態】
【０００８】
短いサービス停止時間で既設局舎から新設局舎への光ケーブルの切替作業を行うとともに切替後の確認も容易に行うという目的を、光ケーブルが複数組のｎ心テープ心線が束ねられた多数本の心線からなる場合には、テープ単位で光ケーブルの切替作業を行うことにより実現した。
【実施例１】
【０００９】
以下、本発明の既設局舎から新設局舎への収容替方法の実施例について、図面を参照して説明する。
本発明の一実施例による既設局舎から新設局舎への収容替方法においては、テープ単位で光ケーブルの切替作業が行われる。たとえば、４心テープ心線が５０組ほど束ねられた２００本の心線からなる光ケーブルについては、切替作業は光ケーブルのテープ単位である４本の心線ごとに（すなわち、４心テープ心線ごとに）行われる。
【００１０】
以下、本実施例による既設局舎から新設局舎への収容替方法について、４心テープ心線が５０組ほど束ねられた２００本の心線からなる光ケーブルを切り替えるときの作業手順を例として、図１に示すフローチャートを参照して説明する。
【００１１】
まず、切替作業日の前日までに、図２の黒丸で示すように、光中間配電盤架（以下、「光ＩＤＦ架」と称する。）において、２００本の切替用ジャンパ４２の端部をすべて、新設局舎と光ＩＤＦ架との間に敷設された新設連絡ケーブル３２の２００本の心線の端部とそれぞれ融着接続しておく（ステップＳ１１）。なお、図２には、テープ単位である４本の心線のみが図示されている。
【００１２】
切替作業日になると、不図示のネットワークセンタに連絡した上で、光コードを既設局舎内の既設局側装置１１から抜いて、既設連絡ケーブル３１のテープ単位である４本の心線のみを既設局側装置１１から切り離したのち、リンクダウンを確認する（ステップＳ１２）。
【００１３】
既設局舎において、第１および第２の加入者装置２１，２２がそれぞれ接続されている光ケーブル５１の２本の心線（以下、「既使用心線」と称する。）に接続されている既設連絡ケーブル３１の２本の心線にパワーメータ（ＰＭ）６１，６２をそれぞれ接続して、第１および第２の加入者装置２１，２２からの光レベルをそれぞれ測定し記録する。また、加入者装置が接続されていない光ケーブル５１の２本の心線（以下、「未使用心線」と称する。）に接続されている既設連絡ケーブル３１の２本の心線に光パルス試験器（ＯＴＤＲ：Optical Time Domain Reflectometer）７１，７２をそれぞれ接続して、心線距離（光ケーブル長）をそれぞれ測定し記録する（ステップＳ１３）。
【００１４】
その後、光ＩＤＦ架において、図３に示すように、既設連絡ケーブル３１の４本の心線と光ケーブル５１の２本の既使用心線および２本の未使用心線とを接続している４本のジャンパ４１の両端部を切断する。このとき、既設局舎においては、切断する４本のジャンパ４１を間違えないようにするために、パワーメータ６１，６２のうちの一方で光レベルを測定して、光レベルが切断前後で変化することを確認するか、光パルス試験器７１，７２のうちの一方で心線距離を測定して、心線距離が切断前後で変化することを確認する（ステップＳ１４）。
【００１５】
その後、新設局舎と光ＩＤＦ架とを接続する切替対象の新設連絡ケーブル３２のテープ単位である４本の心線を間違えないようにするために、新設局舎において、図３に示すように、新設局舎と光ＩＤＦ架との間に敷設された新設連絡ケーブル３２のテープ単位である４本の心線のうちの１本に光パルス試験器７３を接続し、光ＩＤＦ架において新設連絡ケーブル３２のこの４本の心線を曲げたときに波形が変化することを確認する（ステップＳ１５）。
【００１６】
その後、光ＩＤＦ架において、図４に示すように、テープ単位である４本の切替用ジャンパ４２と光ケーブル５１の２本の既使用心線および２本の未使用心線とを融着接続する。この融着接続が完了すると、新設局舎において、図４に示すように、第１および第２の加入者装置２１，２２が接続されている光ケーブル５１の２本の既使用心線に２本の切替用ジャンパ４２を介してそれぞれ接続された新設連絡ケーブル３２の２本の心線にパワーメータ６３，６４をそれぞれ接続して、第１および第２の加入者装置２１，２２からの光レベルを測定し記録する。また、加入者装置が接続されていない光ケーブル５１の２本の未使用心線に切替用ジャンパ４２を介してそれぞれ接続された新設連絡ケーブル３２の２本の心線に光パルス試験器７３，７４をそれぞれ接続して、心線距離（光ケーブル長）を測定し記録する（ステップＳ１６）。
【００１７】
光レベルおよび心線距離の測定により、切替前後で測定値が大幅に異なる場合には、融着接続のミスが生じている可能性が高いため、光ＩＤＦ架において切替用ジャンパ４２と光ケーブル５１の既使用心線および未使用心線との融着接続をやり直す。
また、第１または第２の加入者装置２１，２２の電源が切られている場合には、リンクしていないため、パワーメータ６３，６４を用いた光レベルの測定は行わない。同様に、パワーメータ６３，６４の代わりに光パルス試験器７３，７４を用いた心線距離の測定も行わない。
【００１８】
その後、図５に示すように、新設連絡ケーブル３２からパワーメータ６３，６４および光パルス試験器７３，７４を取り外したのち、ネットワークセンタに連絡した上で、光コードを新設局側装置１２に差し込むことにより、心線番号の小さい順から新設連絡ケーブル３２の４本の心線を新設局側装置１２に接続していく（ステップＳ１７）。
【００１９】
以上のようにして、光ケーブル５１の１つの４心テープ心線について切替作業が終了すると、光ケーブル５１の他の４心テープ心線について切替作業を同様にして行う。
【００２０】
本実施例による既設局舎から新設局舎への収容替方法においては、上述したように光ケーブル５１の４心テープ心線ごとに切替作業（切替作業時間は１０分程度）を行うため、切替作業に伴うサービス停止はテープ単位となるため、サービス停止時間を大幅に短縮して、サービスレベルの低下を防ぐことができる。
【００２１】
また、上述したようにパワーメータおよび光パルス試験器を用いて切替前後の光レベルおよび心線距離の測定を行うとともに、図６に示すような収容替対応表に必要事項を記載することにより、切替後（光ケーブル接続変更後）の光ケーブル心線の良否の確認と光ケーブル心線ごとの加入者運用状況の確実な確認とを容易に行うことができる。
【００２２】
ここで、収容替対応表は、テープ心線系列ごとに、顧客情報（受付番号、顧客ＩＤおよび顧客名）と、切替回線情報と、運用状況と、切替前後の光レベル側定値または心線距離測定値とを記載するものである。なお、切替回線情報としては、光ケーブル側の線路名およびテープ心線番号（テープおよび心線）と、局舎側の新設連絡ケーブルの名称、心線番号（テープおよび心線）、光コード番号、既設局側装置および新設局側装置が記載される。
【００２３】
また、収容替対応表に、図７に示すように、回線停止予定時間（月日、開始時間および完了時間）と、開通日実績時間（開始時間および終了時間）と、顧客の停止時間などを記載する備考欄とを設けてもよい。
【産業上の利用可能性】
【００２４】
以上説明したように、本発明の既設局舎から新設局舎への収容替方法は、たとえば、既設局舎と加入者装置とを接続する光ケーブルを新設局舎へ切り替えるのに利用することができる。
【図面の簡単な説明】
【００２５】
【図１】本発明の一実施例による既設局舎から新設局舎への収容替方法における作業手順を説明するためのフローチャートである。（実施例１）
【図２】本発明の一実施例による既設局舎から新設局舎への収容替方法における作業手順を説明するための図である。（実施例１）
【図３】本発明の一実施例による既設局舎から新設局舎への収容替方法における作業手順を説明するための図である。（実施例１）
【図４】本発明の一実施例による既設局舎から新設局舎への収容替方法における作業手順を説明するための図である。（実施例１）
【図５】本発明の一実施例による既設局舎から新設局舎への収容替方法における作業手順を説明するための図である。（実施例１）
【図６】収容替対応表の一例を示す図である。（実施例１）
【図７】収容替対応表に回線停止予定時間、開通日実績時間および備考欄を設けることを説明するための図である。（実施例１）
【符号の説明】
【００２６】
１１  既設局側装置
１２  新設局側装置
２１，２２  加入者装置
３１  既設連絡ケーブル
３２  新設連絡ケーブル
４１  ジャンパ
４２  切替用ジャンパ
５１  光ケーブル
６１〜６４  パワーメータ
７１〜７４  光パルス試験器
Ｓ１１〜Ｓ１７  ステップ
【図１】
0004498231.tif 000002
【図２】
0004498231.tif 000003
【図３】
0004498231.tif 000004
【図４】
0004498231.tif 000005
【図５】
0004498231.tif 000006
【図６】
0004498231.tif 000007
【図７】
0004498231.tif 000008